(57)【特許請求の範囲】
【請求項１】
近接認識ネットワーク（ＮＡＮ）のための無線リソーススケジューリング方法であって、
アクセスポイント（ＡＰ）機能のＮＡＮ端末が、ワイファイ（ＷｉＦｉ）（登録商標）モードからＮＡＮモードへの切り替えを決定するステップと、
前記ＡＰ機能のＮＡＮ端末が前記ＮＡＮモードへの前記切り替えを決定した場合、前記ＡＰ機能のＮＡＮ端末が、前記ＷｉＦｉモードで送信許可（ＣＴＳ）−ｔｏ−ｓｅｌｆフレームを送信するステップと、
前記ＡＰ機能のＮＡＮ端末が、前記ＷｉＦｉモードから前記ＮＡＮモードに切り替えるステップと、
前記ＡＰ機能のＮＡＮ端末が、前記ＮＡＮモードでＮＡＮフレームをＮＡＮ端末に送信するステップと、を有し、
前記ＷｉＦｉモードは、基本サービスセット（ＢＳＳ）に基づく通信をサポートし、
前記ＮＡＮモードは、ＮＡＮクラスタに基づく通信をサポートし、
前記ＣＴＳ−ｔｏ−ｓｅｌｆフレームは、区間フィールドを有し、
前記区間フィールドは、前記ＡＰ機能のＮＡＮ端末の前記切り替えモードへの再転換までの区間に関する情報を有し、
前記区間フィールドは、ＮＡＶ設定対象指示ビットをさらに有し、
前記ＮＡＶ設定対象指示ビットが第１の値を指示する場合、前記ＮＡＮ端末及び前記ＷｉＦｉモードＳＴＡが前記区間の間にＮＡＶを設定し、
前記ＮＡＶ設定対象指示ビットが第２の値を指示する場合、前記ＷｉＦｉモードＳＴＡのみが前記区間の間に前記ＮＡＶを設定する、方法。
【請求項２】
近接認識ネットワーク（ＮＡＮ）のための無線リソーススケジューリングを実行するアクセスポイント（ＡＰ）機能のＮＡＮ端末であって、前記ＡＰ機能のＮＡＮ端末は、
無線信号を送信又は受信するために具現される無線周波（ＲＦ）部と、
前記ＲＦ部と動作可能なように接続されたプロセッサと、を有し、
前記プロセッサは、
ワイファイ（ＷｉＦｉ）モードからＮＡＮモードへの切り替えを決定し、
前記ＮＡＮモードへの前記切り替えを決定した場合、前記ＷｉＦｉモードで送信許可（ＣＴＳ）−ｔｏ−ｓｅｌｆフレームを送信し、
前記ＷｉＦｉモードから前記ＮＡＮモードに切り替え、
前記ＮＡＮモードでＮＡＮフレームをＮＡＮ端末に送信する、ように構成され、
前記ＷｉＦｉモードは、基本サービスセット（ＢＳＳ）に基づく通信をサポートし、
前記ＮＡＮモードは、ＮＡＮクラスタに基づく通信をサポートし、
前記ＣＴＳ−ｔｏ−ｓｅｌｆフレームは、区間フィールドを有し、
前記区間フィールドは、前記ＡＰ機能のＮＡＮ端末の前記切り替えモードへの再転換までの区間に関する情報を有し、
前記区間フィールドは、ＮＡＶ設定対象指示ビットをさらに有し、
前記ＮＡＶ設定対象指示ビットが第１の値を指示する場合、前記ＮＡＮ端末及び前記ＷｉＦｉモードＳＴＡが前記区間の間にＮＡＶを設定し、
前記ＮＡＶ設定対象指示ビットが第２の値を指示する場合、前記ＷｉＦｉモードＳＴＡのみが前記区間の間に前記ＮＡＶを設定する、ＮＡＮ端末。
【発明の詳細な説明】
【技術分野】
【０００１】
本発明は、無線通信に関し、より詳しくは、ＮＡＮ（Neighbor Awareness Networking）のための無線リソーススケジューリング方法及び装置に関する。
【背景技術】
【０００２】
近接した位置に存在するユーザ間でデータを送信及び受信する近接サービス（proximity-based service）及び近接サービスに基づく応用技術に対する要求が増加している。最近、スマートフォン、タブレットなどのモバイルインターネット機器の急増に応じて、ブルートゥース（bluetooth）（登録商標）又はＷｉＦｉ（Wireless Fidelity）（登録商標）Ｐ２Ｐ（Peer To Peer）などの既存端末間通信技術に比べて広い送信範囲と高いＱｏＳ（Quality of Service）とを保証することができる、新しい近接サービス（proximity-based service）を提供する端末間（Device-to-device：Ｄ２Ｄ）通信技術の必要性が台頭している。Ｄ２Ｄ通信技術は、商業用サービス、公共安全と関連するサービスなど、多様なサービスに活用されることができる。
【０００３】
ＷＦＡ（WiFi Alliance）は、複数の端末（又は、ＳＴＡ（STAtion））間の低電力探索をサポートするための研究を２０１１年から進行しており、２０１３年５月に１．０ｄｒａｆｔ規格を完成した。ＩＥＥＥ８０２．１１ａｑとは違って、ＩＥＥＥ８０２．１１のＩＢＳＳ（Independent Basic Service Set）環境でＡＰ（Access Point）無しで端末相互間探索をサポートし、同期方式のプロトコルを使用する。端末間探索後に行われる端末間直接通信は、ＷｉＦｉ  Ｐ２Ｐ規格との連動（連携、相互作用）（interworking）を考慮している。
【発明の概要】
【発明が解決しようとする課題】
【０００４】
本発明の目的は、ＮＡＮ（Neighbor Awareness Networking）のための無線リソーススケジューリング方法を提供することにある。
【０００５】
本発明の他の目的は、ＮＡＮのための無線リソーススケジューリング装置を提供することにある。
【課題を解決するための手段】
【０００６】
前述した本発明の目的を達成するための本発明の一側面による、近接認識ネットワーク（Neighbor Awareness Networking；ＮＡＮ）のための無線リソーススケジューリング方法は、アクセスポイント（Access Point；ＡＰ）機能のＮＡＮ端末がワイファイ（ワイヤレスフィデリィティ、無線ＬＡＮ相互接続認証）（Wireless Fidelity；ＷｉＦｉ）モードからＮＡＮモードへの切り替え（スイッチング）（switching）を決定するステップと、ＡＰ機能のＮＡＮ端末がＮＡＮモードへの切り替えを決定した場合、ＡＰ機能のＮＡＮ端末がＷｉＦｉモードで送信許可（Clear To Send；ＣＴＳ）−ｔｏ−ｓｅｌｆフレームを送信するステップと、ＡＰ機能のＮＡＮ端末がＷｉＦｉモードから（を）ＮＡＮモードに切り替えるステップと、ＡＰ機能のＮＡＮ端末がＮＡＮモードでＮＡＮフレームをＮＡＮ端末に送信するステップと、を有し、ＷｉＦｉモードは、基本サービスセット（Basic Service Set；ＢＳＳ）に基づく通信をサポートし、ＮＡＮモードは、ＮＡＮクラスタ（cluster）に基づく通信をサポートする。
【０００７】
前述した本発明の目的を達成するための本発明の他の側面による、近接認識ネットワーク（Neighbor Awareness Networking；ＮＡＮ）のための無線リソーススケジューリングを実行するアクセスポイント（Access Point；ＡＰ）機能のＮＡＮ端末において、ＡＰ機能のＮＡＮ端末は、無線信号を送信又は受信するために具現される無線周波（Radio Frequency；ＲＦ）部と、ＲＦ部と動作可能なように（operatively）接続されたプロセッサと、を有し、プロセッサは、ワイファイ（ワイヤレスフィデリィティ、無線ＬＡＮ相互接続認証）（Wireless Fidelity；ＷｉＦｉ）モードからＮＡＮモードへの切り替えを決定し、ＮＡＮモードへの切り替えを決定した場合、ＷｉＦｉモードで送信許可（Clear To Send；ＣＴＳ）−ｔｏ−ｓｅｌｆフレームを送信し、ＷｉＦｉモードから（を）ＮＡＮモードに切り替え、ＮＡＮモードでＮＡＮフレームをＮＡＮ端末に送信するように具現され、ＷｉＦｉモードは、基本サービスセット（Basic Service Set；ＢＳＳ）に基づく通信をサポートし、ＮＡＮモードは、ＮＡＮクラスタ（cluster）に基づく通信をサポートする。
【発明の効果】
【０００８】
ＷｉＦｉモードとＮＡＮモードとの間で切り替わるＡＰ（Access Point）機能のＮＡＮ端末による無線リソーススケジューリングに基づき、ＮＡＮモードに基づいて動作するＮＡＮ端末及びＷｉＦｉモードに基づいて動作するＷｉＦｉモードＳＴＡ（STAtion）が電力を浪費することなく効果的に無線リソースの割当を受けることができる。
【図面の簡単な説明】
【０００９】
【図１】無線ＬＡＮ（Wireless Local Area Network、ＷＬＡＮ）の構造を示す概念図である。
【図２】ＣＴＳ−ｔｏ−ｓｅｌｆ  Ｍｅｃｈａｎｉｓｍ（メカニズム）を示す概念図である。
【図３】ＮＡＮクラスタを示す概念図である。
【図４】ＮＡＮクラスタを示す概念図である。
【図５】ＮＡＮ端末の構造を示す概念図である。
【図６】ＮＡＮコンポーネント（間）の関係を示す概念図である。
【図７】ＮＡＮコンポーネント（間）の関係を示す概念図である。
【図８】ＮＡＮ端末の役割及び状態を示す概念図である。
【図９】ＡＰ機能のＮＡＮ端末のＮＡＮモード動作を示す概念図である。
【図１０】本発明の実施例に係るＮＡＮモードにおけるＡＰ機能のＮＡＮ端末の動作を示す概念図である。
【図１１】本発明の実施例に係るＣＴＳ−ｔｏ−ｓｅｌｆフレームを示す概念図である。
【図１２】本発明の実施例に係るＣＴＳ−ｔｏ−ｓｅｌｆフレームを示す概念図である。
【図１３】本発明の実施例が適用されることができる無線装置を示すブロック図である。
【発明を実施するための形態】
【００１０】
図１は、無線ＬＡＮ（Wireless Local Area Network、ＷＬＡＮ）の構造を示す概念図である。
【００１１】
図１の上段は、ＩＥＥＥ（Institute of Electrical and Electronic Engineers）８０２．１１のインフラストラクチャＢＳＳ（Basic Service Set）の構造を示す。
【００１２】
図１の上段を参照すると、無線ＬＡＮシステムは、一つ又は複数のインフラストラクチャＢＳＳ１００、１０５（以下、ＢＳＳという）を含むことができる。ＢＳＳ１００、１０５は、成功裏に同期化されて互いに通信できるＡＰ（Access Point）１２５及びＳＴＡ１（STAtion）１００−１などのＡＰ及びＳＴＡのセットであり、特定領域を示す概念ではない。ＢＳＳ１０５は、一つのＡＰ１３０に（一つ以上の）ジョインできる（結合可能な）一つ又は複数のＳＴＡ１０５−１、１０５−２（one or more STAs 105-1 and 105-2 which may be joined to one AP 130）を含むこともできる。
【００１３】
ＢＳＳは、少なくとも一つのＳＴＡ、分散サービス（Distribution Service）を提供するＡＰ１２５、１３０及び複数のＡＰを接続させる分散システム（Distribution System、ＤＳ）１１０を含むことができる。
【００１４】
分散システム１１０は、複数のＢＳＳ１００、１０５を接続して、拡張されたサービスセットであるＥＳＳ（Extended Service Set）１４０を具現することができる。ＥＳＳ１４０は、一つ又は複数のＡＰ１２５、２３０が分散システム１１０を介して接続されて構成された一つのネットワーク（network）を指示する（示す）（indicating）用語として使われることができる。一つのＥＳＳ１４０に含まれるＡＰは、同じＳＳＩＤ（Service Set Identification）を有することができる。
【００１５】
ポータル（portal）１２０は、無線ＬＡＮネットワーク（ＩＥＥＥ８０２．１１）と他のネットワーク（例えば、８０２．Ｘ）との接続を実行するブリッジの役割を遂行することができる。
【００１６】
図１の上段のようなＢＳＳでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０無しでＳＴＡ間でもネットワークを設定して通信を実行することも可能である。ＡＰ１２５、１３０無しでＳＴＡ間でネットワークを設定して通信を実行するネットワークをアドホックネットワーク（Ad-Hoc network）又は独立ＢＳＳ（Independent Basic Service Set）と定義する。
【００１７】
図１の下段は、ＩＢＳＳを示す概念図である。
【００１８】
図１の下段を参照すると、ＩＢＳＳは、アドホックモードで動作するＢＳＳである。ＩＢＳＳは、ＡＰを含まないため、中央で管理機能を遂行するエンティティ（centralized management entity）がない。即ち、ＩＢＳＳにおいて、ＳＴＡ１５０−１、１５０−２、１５０−３、１５５−４、１５５−５は、分散された方式（distributed manner）で管理される。ＩＢＳＳにおいて、全てのＳＴＡ１５０−１、１５０−２、１５０−３、１５５−４、１５５−５は、移動ＳＴＡからなることができ、分散システムへの接続が許可（許容）され（permitted）ず自己完結型（完備的）ネットワーク（self-contained network）を構築する。
【００１９】
ＳＴＡは、ＩＥＥＥ（Institute of Electrical and Electronics Engineers）８０２．１１標準の規定に従う媒体接続制御（Medium Access Control、ＭＡＣ）及び無線媒体（wireless medium）に対する物理層（Physical Layer）インターフェースを含む任意の機能媒体であり、広義では、ＡＰ及び非ＡＰ  ＳＴＡ（Non-AP Station）を両方とも含む意味として使われることができる。
【００２０】
ＳＴＡは、移動端末（mobile terminal）、無線機器（wireless device）、無線送受信ユニット（Wireless Transmit/Receive Unit；ＷＴＲＵ）、ユーザ装置（装備）（User Equipment；ＵＥ）、移動局（Mobile Station；ＭＳ）、モバイル加入者ユニット（Mobile Subscriber Unit）又は単純にユーザ（user）などの多様な名称で呼ばれることもある。
【００２１】
図２は、ＣＴＳ−ｔｏ−ｓｅｌｆ  Ｍｅｃｈａｎｉｓｍを示す概念図である。
【００２２】
図２では、ＲＴＳ（Request To Send）フレーム及びＣＴＳ（Clear To Send）フレームを交換する方法を使用して媒体をセンシングする場合と、ＣＴＳ−ｔｏ−ｓｅｌｆフレームを利用して媒体をセンシングする場合と、が開示される。
【００２３】
ＩＥＥＥ８０２．１１ｇ標準では、ＣＴＳ−ｔｏ−ｓｅｌｆ保護メカニズム（protection mechanism）を定義した。ＣＴＳ−ｔｏ−ｓｅｌｆ保護メカニズムは、ＲＴＳフレーム及びＣＴＳフレームを使用する媒体センシング（medium sensing）メカニズムに代わって使用することができる。ＣＴＳ−ｔｏ−ｓｅｌｆ保護メカニズムを使用する場合、ＲＴＳ／ＣＴＳフレームを使用する媒体センシングメカニズムを使用するときより媒体のオーバーヘッドを減らすことができる。
【００２４】
図２の左側を参照すると、送信端でデータフレームを送信する前に、ＲＴＳフレーム及びＣＴＳフレームを交換する方法が下記のように実行されることができる。
【００２５】
図２の左側では、ＳＴＡ  Ａ２００がＳＴＡ  Ｃ２１０にデータフレームを送る場合を仮定する。
【００２６】
１）ＳＴＡ  Ａ２００では、まず、ＲＴＳフレーム２２０を送信する。
【００２７】
２）送信されたＲＴＳフレーム２２０は、キャリアセンシング範囲（carrier sensing range）に存在するＳＴＡ  Ｂ２０５及びＳＴＡ  Ｃ２１０に送信される。
【００２８】
３）ＳＴＡ  Ｂ２０５及びＳＴＡ  Ｃ２１０は、ＣＴＳフレーム２２５、２３０を送信する。
【００２９】
４）送信されたＣＴＳフレーム２２５、２３０がＳＴＡ  Ａ２００、ＳＴＡ  Ｂ２０５、ＳＴＡ  Ｃ２１０、ＳＴＡ  Ｄ２１５に送信される。
【００３０】
ＳＴＡ  Ｄ２１５の場合、ＳＴＡ  Ａ２００のキャリアセンシング範囲（carrier sensing range）外にあるため、ＳＴＡ  Ａ２００からＲＴＳフレーム２２０を受信することができなかった（即ち、ＳＴＡ  Ｄ２１５は、ＳＴＡ  Ａ２００の隠れノード（hidden node））。しかし、ＳＴＡ  Ｃ２１０からＣＴＳフレーム２３０の送信を受けることで、ＳＴＡ  Ａ２００がデータを送信するために媒体を占有したことを知ることができる。
【００３１】
５）ＳＴＡ  Ａ２００は、ＳＴＡ  Ｃ２１０にデータフレームを送信する。
【００３２】
図２の右側を参照すると、送信端でデータフレームを送信する前に実行されるＣＴＳ−ｔｏ−ｓｅｌｆ  ｆｒａｍｅを利用した媒体センシング方法は、下記のように実行されることができる。図２の右側では、ＳＴＡ  Ａ２５０がＳＴＡ  Ｃ２６０にデータフレームを送る場合を仮定する。
【００３３】
１）ＳＴＡ  Ａ２５０は、ＣＴＳ−ｔｏ−ｓｅｌｆ  ｆｒａｍｅをキャリアセンシング範囲（carrier sensing range）に存在するＳＴＡ  Ｂ２５５及びＳＴＡ  Ｃ２６０に送信する。
【００３４】
２）ＣＴＳ−ｔｏ−ｓｅｌｆフレームの送信を受けたＳＴＡ  Ｂ２５５及びＳＴＡ  Ｃ２６０は、ＳＴＡ  Ａ２５０から送信されるデータフレームを受信するために他のデータフレームの送信を延期する。
【００３５】
ＷＦＡ（WiFi Alliance）は、近接認識（neighbor awareness）技術に対する研究を進行中である。近接認識技術は、ＳＴＡでバックグラウンドモードで動作し、少量のメッセージを送信することで、多様なアプリケーションのためのサービスを探索することができる。
【００３６】
近接認識技術が使われる場合、ＳＴＡは、サービス提供装置に接続する前に周辺サービスを探索することができる。ＳＴＡは、ＮＡＮ（Neighbor Awareness Networking）を利用してサービスを探索した後、アプリケーションを実行させてＷｉＦｉ  Ｄｉｒｅｃｔ又は既存無線ＬＡＮネットワークに接続して該当サービスを利用することができる。
【００３７】
ＮＡＮは、混雑した環境及び室内でも円滑に作動し、電力消費を最小化するように設計されなければならない。ＳＴＡは、ＮＡＮを介して他のＳＴＡと使用可能なサービスに関する情報をやり取りした後、探索されたＳＴＡとの接続をオプトイン（opt-in）することができる。ＳＴＡと探索されたＳＴＡとは、機器間の直接接続を介して接続されることができる。
【００３８】
以下、ＮＡＮに基づいて通信するＳＴＡ又はＡＰは、ＮＡＮ端末と表現されることができ、特に、ＮＡＮ端末のうちＮＡＮクラスタを生成したＮＡＮ端末は、アンカーマスタという用語で表現されることができ、ＮＡＮクラスタに含まれるＮＡＮ端末のうち少なくとも一つのＮＡＮ端末は、ＮＡＮマスタである。
【００３９】
以下、ＮＡＮ（Neighbor Awareness Networking）トポロジが開示される。ＮＡＮネットワークは、同じＮＡＮパラメータ（例えば、連続するディスカバリウィンドウ（discovery window）間の時間区間（time duration）、ディスカバリウィンドウ（discovery window）の区間、ビーコンインターバル又はＮＡＮチャネル等）の集合（セット）を使用するＮＡＮ端末からなることができる。ＮＡＮ端末は、ＮＡＮクラスタを構成することができる。ＮＡＮクラスタは、同じＮＡＮパラメータの集合を使用し、同じディスカバリウィンドウスケジュールと同期化されて動作するＮＡＮ端末の集合である。
【００４０】
図３及び図４は、ＮＡＮクラスタを示す概念図である。
【００４１】
図３を参照すると、ＮＡＮクラスタに属するＮＡＮ端末は、マルチキャスト／ユニキャストに基づいてＮＡＮサービスディスカバリフレームをディスカバリウィンドウの範囲内で他のＮＡＮ端末に直接送信することができる。
【００４２】
図４を参照すると、前述したように、ＮＡＮクラスタには一つ又は複数のＮＡＮマスタが存在することができ、ＮＡＮクラスタ内のＮＡＮマスタは変更されることができる。また、ＮＡＮマスタは、ＮＡＮ同期ビーコンフレーム（NAN Sync Beacon frame）、ＮＡＮディスカバリビーコンフレーム（NAN discovery Beacon frame）、ＮＡＮサービスディスカバリフレーム（NAN service discovery frame）を全て送信することができる。
【００４３】
ＮＡＮ同期ビーコンフレームは、ＮＡＮクラスタ内のＮＡＮ端末の同期化のために使われることができる。ＮＡＮディスカバリビーコンフレームは、ＮＡＮクラスタに加入していないＮＡＮ端末にクラスタを発見することができるように広告（advertisement）することを目的として使われることができる。ＮＡＮサービスディスカバリフレームは、ＮＡＮクラスタに含まれるＮＡＮ端末間で（同士）サービスを広告して（by advertising the service between the NAN terminals included in the NAN cluster）各ＮＡＮ端末間のサービスに関する情報を交換することを目的として使われることができる。
【００４４】
図５は、ＮＡＮ端末の構造を示す概念図である。
【００４５】
図５を参照すると、ＮＡＮ端末は、８０２．１１の物理層に基づいており、ＮＡＮディスカバリエンジン（NAN Discovery Engine）、ＮＡＮ  ＭＡＣ（Medium Access Control）、各アプリケーション（Application 1、Application 2、…、Application N）へのＮＡＮ  ＡＰＩ（Application Programming Interface）を主要コンポーネントとして有する。
【００４６】
図６及び図７は、ＮＡＮコンポーネント間の関係を示す概念図である。
【００４７】
図６及び図７を参照すると、サービス要求（request、queries）及び応答（response）は、ＮＡＮディスカバリエンジンを介して処理され、ＮＡＮ  ＭＡＣは、ＮＡＮビーコンフレーム及びＮＡＮサービスディスカバリフレームを処理する。ＮＡＮディスカバリエンジンは、サブスクライブ（subscribe）、パブリッシュ（publish）及びフォローアップ（follow-up）の機能を提供することができる。
【００４８】
パブリッシュ／サブスクライブ機能は、サービス／アプリケーションからのサービスインターフェースを介して実行される。パブリッシュ／サブスクライブ命令が実行されると、パブリッシュ／サブスクライブ機能のインスタンス（instance）が生成される。各インスタンスは、独立して駆動され、具現（implementation）によって、同時に複数のインスタンスが駆動される場合もある。フォローアップ機能は、サービス固有情報を送受信するサービス／アプリケーションのための手段である。
【００４９】
図８は、ＮＡＮ端末の役割及び状態を示す概念図である。
【００５０】
図８を参照すると、ＮＡＮ端末は、マスタの役割を遂行するＮＡＮマスタとして動作できる。また、ＮＡＮ端末のＮＡＮマスタの役割は、他の役割に変更されることができる。即ち、ＮＡＮ端末は、多様な役割及び状態（role and state）に遷移されることができる。
【００５１】
ＮＡＮ端末が有することができる役割及び状態は、マスタ（Master）（以下、マスタは、Master role and sync Stateである）、ノンマスタシンク（Non-Master Sync）、ノンマスタノンシンク（Non-Master Non-Sync）などである。ＮＡＮ端末の役割及び状態によって、ＮＡＮディスカバリビーコンフレーム及び／又はＮＡＮ同期ビーコンフレームの送信が可能か否かが決定されることができる。
【００５２】
以下の表１は、ＮＡＮ端末の役割及び状態によるＮＡＮディスカバリビーコンフレーム及び／又はＮＡＮ同期ビーコンフレームの送信が可能か否かを示す。
【００５３】
〔表１〕
【表１】
0006538152.tif 000002
【００５４】
ＮＡＮ端末の状態は、マスタランク（Master Rank；ＭＲ）を介して決定されることができる。マスタランクは、ＮＡＮマスタとして動作しようとするＮＡＮ端末の意図（intention）を示す。即ち、大きい値のマスタランクは、ＮＡＮ端末のＮＡＮマスタに対する大きい選好度を示す。ＮＡＮ  ＭＲは、マスタ選好度（Master Preference）、ランダム係数（要素）（Random Factor）、装置ＭＡＣアドレス（Device MAC address）により、以下の数式１により決定されることができる。
【００５５】
〔数式１〕
【数１】
0006538152.tif 000003
【００５６】
マスタ選好度（Master Preference）、ランダム係数（Random Factor）、装置ＭＡＣアドレス（Device MAC address）は、ＮＡＮビーコンフレームに含まれているマスタ指示属性（master indication attribute）に基づいて指示されることができる。マスタ指示属性は、以下の表２の通りである。
【００５７】
〔表２〕
【表２】
0006538152.tif 000004
【００５８】
マスタランクと関連して、ＮＡＮサービスを活性化させてＮＡＮクラスタを開始するＮＡＮ端末は、マスタ選好度及びランダム係数を全て０に設定し、ＮＡＮＷａｒｍＵｐをリセットする。ＮＡＮ端末は、ＮＡＮＷａｒｍＵｐが満了するときまで、マスタ指示属性内のマスタ選好度の値を０より大きい値に設定しなければならず、マスタ指示属性内のランダム係数の値を新しい値に設定しなければならない。
【００５９】
ＮＡＮマスタのマスタ選好度が０より大きい値に設定されたＮＡＮクラスタにジョイン（join）したＮＡＮ端末は、ＮＡＮＷａｒｍＵｐが満了したか否かに関係なく、マスタ選好度を０より大きい値に設定し、ランダム係数を新しい値に設定することができる。
【００６０】
ＮＡＮ端末は、マスタランクの値によってＮＡＮクラスタのＮＡＮマスタとして動作できる。即ち、ＮＡＮクラスタに含まれる全てのＮＡＮ端末は、ＮＡＮマスタとして動作できる能力（capability）を有している。ＮＡＮマスタは、ＮＡＮクラスタで最も大きいマスタランクを有する。また、ＮＡＮマスタは、ＨＣ（Hop Count to the anchor master）値として０を有し、ＮＡＮクラスタに含まれるＮＡＮ端末のうちＡＭＢＴＴ（Anchor Master Beacon Transmit Time）値が最も小さい。
【００６１】
ＮＡＮクラスタには一時的に複数のＮＡＮマスタが存在することもできるが、原則的にはＮＡＮクラスタに一つのＮＡＮマスタが存在できる。既に存在しているＮＡＮクラスタでＮＡＮマスタになったＮＡＮ端末は、既に存在しているＮＡＮクラスタで使われたＴＳＦ（Time Synchronization Function）をそのまま使用することができる。
【００６２】
下記のような場合、ＮＡＮ端末は、新しいＮＡＮクラスタを開始するか、又はマスタランクの変更によって、ＮＡＮマスタになることができる。或いは、現在ＮＡＮマスタとして動作する他のＮＡＮ端末からビーコンフレームがそれ以上受信されない場合、ＮＡＮ端末は、ＮＡＮマスタになることができる。また、ＮＡＮクラスタ内に属するＮＡＮ端末のうち他のＮＡＮ端末のＲＳＳＩ（Received Signal Strength Indication）が一定水準以下に落ちた場合、ＮＡＮ端末は、自動的にＮＡＮマスタになることができる。同じＮＡＮクラスタに参加するＮＡＮ端末は、共通のクロックで同期化されることができる。ＮＡＮクラスタのＴＳＦは、全てのＮＡＮ端末で実行されるべき分散アルゴリズムにより具現されることができる。ＮＡＮクラスタに参加する各ＮＡＮ端末は、分散アルゴリズムによって、ＮＡＮ同期化ビーコンフレーム（NAN Sync Beacon frames）を送信することができる。
【００６３】
ＮＡＮ端末は、ディスカバリウィンドウ（discovery window）の間にクロックを同期化することができる。ディスカバリウィンドウの長さは、１６ＴＵｓ（Time Units）である。ディスカバリウィンドウの間に、一つ又は複数のＮＡＮ端末は、ＮＡＮクラスタ内の全てのＮＡＮ端末がクロックを同期化することを容易にするために、同期化ビーコンフレーム（Synchronization Beacon frames）を送信することができる。
【００６４】
ＮＡＮ同期化ビーコンフレームの送信は、分散して行われる（分散的である）。ＮＡＮ同期化ビーコンフレームは、５１２ＴＵ毎に存在するディスカバリウィンドウ区間で送信されることができる。全てのＮＡＮ端末は、装置の役割及び状態によって、ＮＡＮ同期化ビーコンフレームの生成及び送信に参加できる。ＮＡＮ端末の各々は、ＮＡＮビーコン周期タイミングに使われる自体のみのＴＳＦタイマを維持しなければならない。
【００６５】
ＮＡＮ同期化ビーコンフレームの送信区間は、ＮＡＮクラスタを生成するＮＡＮ端末により設定されることができる。ＮＡＮ同期化ビーコンフレームを送信することができるディスカバリウィンドウ区間は、正確に５１２ＴＵほど離れるように一連のＴＢＴＴ（Target Beacon Transmission Time）が定義される。時間０（ゼロ）（０である時間）（Time 0）は、最初のＴＢＴＴとして定義され、ディスカバリウィンドウは、各ＴＢＴＴで開始される。
【００６６】
ＮＡＮマスタの役割を遂行する各ＮＡＮ端末は、ＮＡＮディスカバリビーコンフレームをＮＡＮディスカバリウィンドウ以外の（を除外した）区間（duration other than the NAN discovery window）で送信することができる。平均的には、ＮＡＮマスタは、１００ＴＵｓ毎にＮＡＮディスカバリビーコンフレームを送信することができる。一つのＮＡＮマスタにより送信される連続するＮＡＮディスカバリビーコン間の時間は、２００ＴＵｓ以下である。
【００６７】
ＮＡＮディスカバリビーコンフレームの予定送信時間がＮＡＮクラスタのＮＡＮディスカバリウィンドウ区間とオーバーラップする場合、ＮＡＮマスタは、ＮＡＮディスカバリビーコンフレームの送信を省略することができる。ＮＡＮディスカバリビーコンフレームの送信のための電力を最小化するために、ＮＡＮマスタは、ＡＣ（Access Category）＿ＶＯ（VOice）に対応するチャネルアクセスパラメータに基づき、コンテンションベースでＮＡＮディスカバリビーコンフレームを送信することができる。
【００６８】
また、ＮＡＮ端末は、ディスカバリウィンドウ区間内でＮＡＮサービスディスカバリフレームを送信することができる。ＮＡＮサービスディスカバリフレームは、全てのＮＡＮ端末により送信されることができる。即ち、ＮＡＮ端末は、ディスカバリウィンドウの開始（ＴＳｔａｒｔＤＷ）時点とディスカバリウィンドウの終了時点（ＴＥｎｄＤＷ）との間でコンテンションベースでＮＡＮサービスディスカバリフレーム及び／又は同期ビーコンフレームを送信する。もし、ＮＡＮ端末がマスタ状態又はノンマスタシンク状態にある場合、ＮＡＮサービスディスカバリフレームとＮＡＮ同期ビーコンフレームとを同じディスカバリウィンドウ内で全て送信することができる。
【００６９】
以下、本発明の実施例では、ＡＰ機能のＮＡＮ端末（NAN device in AP capability）がＩＥＥＥ８０２．１１ベースのＷｉＦｉモードで動作中、同じチャネルでしばらくＷｉＦｉモードのサービスを延期（又は、中断）し、前述したＮＡＮベースのＮＡＮモードに切り替えて動作する場合が開示される。ＡＰ機能のＮＡＮ端末は、ＷｉＦｉモードで動作してＢＳＳに基づいてＩＥＥＥ８０２．１１ベースのＷｉＦｉサービスを提供することもでき、ＮＡＮモードで動作してＮＡＮクラスタに基づいてＷＦＡのＮＡＮベースのＮＡＮサービスを提供することもできる。他の表現として、ＷｉＦｉモードは、ＢＳＳ（Basic Service Set）に基づく通信をサポートし、ＮＡＮモードは、ＮＡＮクラスタ（cluster）に基づく通信をサポートするということができる。
【００７０】
ＡＰ機能のＮＡＮ端末がＮＡＮモードで動作する場合、ＡＰ機能のＮＡＮ端末と関連付けられ（結合され）た（associated with）ＷｉＦｉモードＳＴＡに対するＷｉＦｉモードベースのサービスは、中断され、ＡＰ機能のＮＡＮ端末をスキャンするＷｉＦｉモードＳＴＡのスキャン動作は、正常に実行されない。
【００７１】
本発明の実施例では、ＡＰ機能のＮＡＮ端末がＷｉＦｉモードからＮＡＮモードに切り替えられた（スイッチングされた）（switched）場合、ＡＰ機能のＮＡＮ端末がＷｉＦｉモードに基づいて通信しようとするＳＴＡにＮＡＮモードと関連した動作に関する情報を送信する方法が開示される。
【００７２】
以下、ＷｉＦｉモードで動作するＳＴＡは、ＩＥＥＥ８０２．１１に基づいて動作するＳＴＡであり、ＷｉＦｉモードＳＴＡという用語で表現されることができる。また、以下、本発明の実施例でＮＡＮモードで動作するＳＴＡは、ＮＡＮ端末（又は、ＮＡＮモードＳＴＡ）という用語で表現されることができる。
【００７３】
図９は、ＡＰ機能のＮＡＮ端末のＮＡＮモード動作を示す概念図である。
【００７４】
図９では、ＡＰ機能のＮＡＮ端末がＮＡＮマスタとして動作する場合におけるＡＰ機能のＮＡＮ端末の基本動作が開示される。
【００７５】
図９を参照すると、前述したように、ＮＡＮ端末は、互いに同期を合わせるために、ＮＡＮ同期化ビーコンフレーム（NAN sync beacon frame）を周期的に送信することができる。また、ＮＡＮ端末は、提供されるサービスに対する相互間探索のためのＮＡＮサービスディスカバリフレーム（NAN service discovery frame）を周期的に送信する（transmit）ことができる。ＮＡＮマスタとして動作するＡＰ機能のＮＡＮ端末は、ＮＡＮディスカバリフレーム（NAN discovery frame）を周期的に送信することができる。ＮＡＮマスタとして動作するＡＰ機能のＮＡＮ端末は、ＮＡＮ同期化ビーコンフレーム及びＮＡＮサービスディスカバリフレームも送信できる。
【００７６】
具体的には、チャネル６でＷｉＦｉモードで動作中であるＡＰ機能のＮＡＮ端末が、ＮＡＮ同期化ビーコンフレーム、ＮＡＮディスカバリビーコンフレーム及びＮＡＮサービスディスカバリフレームの送信のためにＮＡＮモードに切り替えることができる。このような場合、チャネル６で動作する既存ＡＰ機能のＮＡＮ端末と関連付けられたＷｉＦｉモードＳＴＡ又はチャネル６をスキャンしてＡＰ機能のＮＡＮ端末と関連付けられようとするＷｉＦｉモードＳＴＡは、ＡＰのＮＡＮモードへの切り替えにより異常（非正常）な（abnormal）動作を実行することができる。即ち、ＡＰ機能のＮＡＮ端末がＮＡＮモードに切り替えられた場合、ＷｉＦｉモードＳＴＡは、ＷｉＦｉモードに基づく正常な動作を実行することができず、ＡＰ機能のＮＡＮ端末からＷｉＦｉベースのサービスを受けることができない。したがって、ＡＰ機能のＮＡＮ端末のＮＡＮモードへの切り替えに関してＷｉＦｉモードＳＴＡに知らせる必要がある。
【００７７】
以下、本発明の実施例では、ＡＰ機能のＮＡＮ端末がＮＡＮ同期化ビーコンフレーム、ＮＡＮサービスディスカバリフレーム、ＮＡＮディスカバリビーコンフレームの送信のためにＷｉＦｉモードからＮＡＮモードに切り替える場合、ＡＰ機能のＮＡＮ端末がＷｉＦｉモードＳＴＡにＡＰ機能のＮＡＮ端末のＮＡＮモード動作に関連した情報を知らせる方法が開示される。
【００７８】
図１０は、本発明の実施例に係るＮＡＮモードにおけるＡＰ機能のＮＡＮ端末の動作を示す概念図である。
【００７９】
図１０では、ＡＰ機能のＮＡＮ端末がＷｉＦｉモードＳＴＡにＡＰ機能のＮＡＮ端末のＮＡＮモード動作に関する情報を知らせる方法が開示される。
【００８０】
図１０を参照すると、ＡＰ機能のＮＡＮ端末は、ＮＡＮフレーム１０２０（例えば、ＮＡＮ同期化ビーコンフレーム、ＮＡＮサービスディスカバリフレーム又はＮＡＮディスカバリフレーム）を送信する前にＣＴＳ−ｔｏ−ｓｅｌｆフレーム１０００を送信することができる。以下、本発明の実施例では、説明の便宜上、ＡＰ機能のＮＡＮ端末がＷｉＦｉモードＳＴＡにＡＰ機能のＮＡＮ端末のＮＡＮモード動作に関する情報を伝達するためにＣＴＳ−ｔｏ−ｓｅｌｆフレーム１０００を使用することを仮定する。しかし、ＣＴＳ−ｔｏ−ｓｅｌｆフレーム１０００でない他のフレーム（既存のフレーム又は新しく定義されたフレーム（例えば、ネットワーク割当てベクタ（Network Allocation Vector；ＮＡＶ）設定フレーム））を介してＷｉＦｉモードＳＴＡにＡＰ機能のＮＡＮ端末のＮＡＮモード動作に関する情報が伝達されることもでき、このような実施例も、本発明の権利範囲に含まれることができる。
【００８１】
ＡＰ機能のＮＡＮ端末が送信するＣＴＳ−ｔｏ−ｓｅｌｆフレーム１０００は、区間（デュレーション）（duration）情報を含むことができる。ＣＴＳ−ｔｏ−ｓｅｌｆフレーム１０００に含まれる区間情報は、ＷｉＦｉモードＳＴＡのＮＡＶ設定（setting）のために使われることができる。ＣＴＳ−ｔｏ−ｓｅｌｆフレーム１０００に含まれる区間情報は、場合によって、互いに異なる時間区間を指示することができる。ＮＡＶは、ＳＴＡのＣＣＡ（Clear Channel Assessment）機能に基づく媒体のビジー又はアイドルに関するセンシング結果と関連なく、ＳＴＡによるフレームの送信が不能な時間区間を指示する指示子である。ＮＡＶが設定（setting）される場合、指示された時間区間の間にＳＴＡのフレームの送信は、不能である。
【００８２】
例えば、ＡＰ機能のＮＡＮ端末は、ＮＡＮモードに切り替えてＮＡＮ同期化ビーコンフレームを送信する前にＣＴＳ−ｔｏ−ｓｅｌｆフレーム１０００を送信することができる。この場合、ＣＴＳ−ｔｏ−ｓｅｌｆフレーム１０００は、ＡＰ機能のＮＡＮ端末がＮＡＮモードに切り替わって（スイッチングして）（transitioning to）ＮＡＮ同期化ビーコンフレームを送信した以後、再びＷｉＦｉモードに切り替られる時間区間を指示する区間情報を含むことができる。
【００８３】
ＡＰ機能のＮＡＮ端末がＮＡＮモードに切り替えてＮＡＮサービスディスカバリフレームを送信する前にＣＴＳ−ｔｏ−ｓｅｌｆフレーム１０００を送信することができる。この場合、ＣＴＳ−ｔｏ−ｓｅｌｆフレーム１０００は、ＡＰ機能のＮＡＮ端末がＮＡＮモードに切り替わってＮＡＮサービスディスカバリフレームの送信以後、再びＷｉＦｉモードに切り替えられる時間区間を指示する区間情報を含むことができる。
【００８４】
ＡＰ機能のＮＡＮ端末がＮＡＮモードに切り替えてＮＡＮディスカバリビーコンフレームを送信する前にＣＴＳ−ｔｏ−ｓｅｌｆフレーム１０００を送信することができる。この場合、ＣＴＳ−ｔｏ−ｓｅｌｆフレーム１０００は、ＡＰ機能のＮＡＮ端末がＮＡＮモードに切り替わってＮＡＮディスカバリビーコンフレームの送信以後、再びＷｉＦｉモードに切り替えられる時間区間を指示する区間情報を含むことができる。
【００８５】
区間情報は、ＣＴＳ−ｔｏ−ｓｅｌｆフレーム１０００の送信からＷｉＦｉモードへの切り替えまでの時間区間を指示することもできる。
【００８６】
ＮＡＮ端末は、ＡＰ機能のＮＡＮ端末が送信するＣＴＳ−ｔｏ−ｓｅｌｆフレーム１０００を受信すると、ＣＴＳ−ｔｏ−ｓｅｌｆフレーム１０００に含まれている区間情報に基づいて設定された区間の間にＮＡＶを設定し、ドーズ状態（doze state）に遷移されることができる。又は、ＷｉＦｉモードＳＴＡは、設定された区間の間にアウェイク状態（awake state）を維持し、フレームの送信を実行せずに、設定された区間以後、フレームを送信することができる。
【００８７】
ＡＰ機能のＮＡＮ端末がＮＡＮモードに切り替える場合、送信されるＣＴＳ−ｔｏ−ｓｅｌｆフレーム１０００は、ＷｉＦｉモードＳＴＡだけでなく、ＮＡＮ端末も受信することができる。ＣＴＳ−ｔｏ−ｓｅｌｆフレーム１０００は、ＡＰ機能のＮＡＮ端末のＷｉＦｉモードの一時的な中断及びＮＡＮモードベースのＡＰ機能のＮＡＮ端末のＮＡＮモードの初期化（initiation）のためのものである。したがって、ＮＡＮ端末がＣＴＳ−ｔｏ−ｓｅｌｆフレーム１０００を受信した場合、ＮＡＮ端末は、ＣＴＳ−ｔｏ−ｓｅｌｆフレーム１０００に基づいてＮＡＶ区間を設定してはならない。その理由は、ＮＡＮ端末は、ＮＡＮモードで動作するＡＰ機能のＮＡＮ端末により送信されるＮＡＮ同期化ビーコンフレーム、ＮＡＮディスカバリビーコンフレーム、ＮＡＮサービスディスカバリフレームを受信しなければならないためである。したがって、本発明の実施例によると、ＡＰ機能のＮＡＮ端末により送信されるＣＴＳ−ｔｏ−ｓｅｌｆフレーム１０００に含まれる区間フィールドは、ＮＡＮ端末及びＷｉＦｉモードＳＴＡの各々のＮＡＶ設定が可能か否かを個別に指示することもできる。
【００８８】
図１１は、本発明の実施例に係るＣＴＳ−ｔｏ−ｓｅｌｆフレームを示す概念図である。
【００８９】
図１１では、ＣＴＳ−ｔｏ−ｓｅｌｆフレームに含まれる区間フィールドが開示される。
【００９０】
図１１を参照すると、ＣＴＳ−ｔｏ−ｓｅｌｆフレームのＭＡＣ（Medium Access Control）ヘッダ１１００は、区間フィールド１１２０を含むことができる。
【００９１】
本発明の実施例によると、区間フィールド１１２０は、ＮＡＮ端末及び／又はＷｉＦｉモードＳＴＡのＮＡＶ設定が可能か否か（又は、ＮＡＶ区間設定が可能か否か）を指示することができる。
【００９２】
例えば、ＣＴＳ−ｔｏ−ｓｅｌｆフレームの区間フィールド１１２０は、２オクテット（octet）である。区間フィールド１１２０を構成する複数のビットのうちＬＳＢ（Least Significant Bit）１ビット又はＭＳＢ（Most Significant Bit）１ビットの値によって、ＮＡＮ端末及びＷｉＦｉモードＳＴＡが全てＮＡＶ区間を設定するか、又はＷｉＦｉモードＳＴＡのみがＮＡＶ区間を設定することができる。区間フィールド１１２０に含まれるビットのうち、ＮＡＮ端末及び／又はＷｉＦｉモードＳＴＡのＮＡＶ設定が可能か否か（又は、ＮＡＶ区間設定が可能か否か）を指示するビットは、ＮＡＶ設定対象指示ビット１１４０という用語で表現されることができる。
【００９３】
例えば、ＮＡＶ設定対象指示ビット１１４０の値が０の場合、ＮＡＮ端末及びＷｉＦｉモードＳＴＡが両方とも区間フィールドをデコーディングして区間フィールドに基づくＮＡＶ（又は、ＮＡＶ区間）を設定することが指示されることができる。それに対して、ＮＡＶ設定対象指示ビット１１４０の値が１の場合、ＮＡＮ端末は、区間フィールドに基づくＮＡＶ設定を無視し、ＷｉＦｉモードＳＴＡのみが区間フィールドに基づくＮＡＶ設定を実行することを指示することができる。
【００９４】
区間フィールド１１２０を構成するビット（例えば、１６ビット）のうち、ＮＡＶ設定対象指示ビット（例えば、１ビット）１１４０以外の（を除外した）（except for）残りのビット（例えば、１５ビット）は、ＮＡＶ設定のための区間情報ビット１１６０である。
【００９５】
即ち、ＮＡＮ端末は、ＡＰ機能のＮＡＮ端末からＣＴＳ−ｔｏ−ｓｅｌｆフレームを受信し、ＣＴＳ−ｔｏ−ｓｅｌｆフレームに含まれているＮＡＶ設定対象指示ビット１１４０が１に設定されたかどうかを決定することができる。ＮＡＶ設定対象指示ビット１１４０が１に設定された場合、ＮＡＮ端末は、ＣＴＳ−ｔｏ−ｓｅｌｆフレームの区間フィールドに含まれている情報を無視してアウェイク状態を維持することで、ＡＰ機能のＮＡＮ端末により送信されるＮＡＮ同期化ビーコンフレーム、ＮＡＮディスカバリビーコンフレーム、ＮＡＮサービスディスカバリフレームを受信することができる。
【００９６】
図１２は、本発明の実施例に係るＣＴＳ−ｔｏ−ｓｅｌｆフレームを示す概念図である。
【００９７】
図１２では、ＷｉＦｉモードＳＴＡにのみ有効なＣＴＳ−ｔｏ−ｓｅｌｆフレームが開示される。
【００９８】
図１２を参照すると、ＣＴＳ−Ｔｏ−ＳｅｌｆフレームのＭＡＣヘッダに含まれるフレーム制御フィールドに含まれるサブタイプ（subtype）フィールド１２００のリザーブ（予備）された（reserved）ビットの一部が、ＣＴＳ−ｔｏ−ｓｅｌｆフレームがＷｉＦｉモードＳＴＡにのみ有効なＣＴＳ−ｔｏ−ｓｅｌｆフレームかどうかを指示することができる。
【００９９】
ＡＰ機能のＮＡＮ端末は、ＮＡＮモードに切り替える前、ＣＴＳ−ｔｏ−ｓｅｌｆフレームがＷｉＦｉモードＳＴＡにのみ有効であることを指示するフレーム制御フィールドのサブタイプフィールド１２００を含むＣＴＳ−ｔｏ−ｓｅｌｆフレームをブロードキャストで（に基づいて）（in a broadcast manner）送信することができる。即ち、特定値のサブタイプフィールド１２００は、ＣＴＳ−ｔｏ−ｓｅｌｆフレームがＷｉＦｉモードＳＴＡであることを指示することができ、ＡＰは、ＣＴＳ−ｔｏ−ｓｅｌｆフレームを介してＷｉＦｉモードＳＴＡであることを指示するサブタイプフィールド１２００をＳＴＡに送信することができる。
【０１００】
この場合、ＣＴＳ−ｔｏ−ｓｅｌｆフレームを受信したＷｉＦｉモードＳＴＡは、ＮＡＮ区間を設定することができる。ＣＴＳ−ｔｏ−ｓｅｌｆフレームを受信したＮＡＮ端末は、アクティブモードを維持し、ＡＰ機能のＮＡＮ端末により送信されるＮＡＮ同期化ビーコンフレーム、ＮＡＮディスカバリビーコンフレーム、ＮＡＮサービスディスカバリフレームをモニタリングして受信することができる。
【０１０１】
その他のＭＡＣヘッダ構造は、２０１３年１０月に開示されたＩＥＥＥ  Ｓｔａｎｄａｒｄ  ｆｏｒ  Ｉｎｆｏｒｍａｔｉｏｎ  ｔｅｃｈｎｏｌｏｇｙ  Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋｓ  Ｓｐｅｃｉｆｉｃ  ｒｅｑｕｉｒｅｍｅｎｔｓ  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）ａｎｄ  Ｐｈｙｓｉｃａｌ  Ｌａｙｅｒ（ＰＨＹ）Ｓｐｅｃｉｆｉｃａｔｉｏｎｓの８．２  ＭＡＣ  ｆｒａｍｅ  ｆｏｒｍａｔｓに開示されている。
【０１０２】
図１３は、本発明の実施例が適用されることができる無線装置を示すブロック図である。
【０１０３】
図１３を参照すると、ＡＰ１３００は、プロセッサ１３１０、メモリ１３２０及びＲＦ部（Radio Frequency unit）１３３０を含む。
【０１０４】
ＲＦ部１３３０は、プロセッサ１３１０と接続して無線信号を送信／受信することができる。
【０１０５】
プロセッサ１３１０は、本発明で提案された機能、処理及び／又は方法を具現することができる。例えば、プロセッサ１３１０は、前述した本発明の実施例に係るＡＰの動作を実行するように具現されることができる。プロセッサは、図１乃至図１２の実施例で開示したＡＰ機能のＮＡＮ端末の動作を実行することができる。
【０１０６】
例えば、プロセッサ１３１０は、ＷｉＦｉ（Wireless Fidelity）モードからＮＡＮモードへの切り替えを決定し、ＮＡＮモードへの切り替えを決定した場合、ＷｉＦｉモードでＣＴＳ−ｔｏ−ｓｅｌｆフレームを送信し、ＷｉＦｉモードからＮＡＮモードに切り替え、ＮＡＮモードでＮＡＮビーコンフレームをＮＡＮ端末に送信するように具現されることができる。ＷｉＦｉモードは、ＢＳＳ（Basic Service Set）に基づく通信をサポートし、ＮＡＮモードは、ＮＡＮクラスタ（cluster）に基づく通信をサポートすることができる。
【０１０７】
ＣＴＳ−ｔｏ−ｓｅｌｆフレームは、区間フィールドを含み、区間フィールドは、ＡＰ機能のＮＡＮ端末の切り替えモードへの再転換まで（ＡＰ機能のＮＡＮ端末が再びモード切り替えに移行するまで）（until the NAN terminal in AP capability transitions back to the switching mode）の区間に関する情報を含むことができる。ＣＴＳ−ｔｏ−ｓｅｌｆフレームは、ＷｉＦｉモードで動作するＷｉＦｉモードＳＴＡにより受信され、ＷｉＦｉモードＳＴＡは、区間の間にＮＡＶを設定することができる。
【０１０８】
区間フィールドは、ＮＡＶ設定対象指示ビットをさらに含み、ＮＡＶ設定対象指示ビットが第１の値を指示する場合、ＮＡＮ端末及びＷｉＦｉモードＳＴＡが区間の間にＮＡＶ（Network Allocation Vector）を設定し、ＮＡＶ設定対象指示ビットが第２の値を指示する場合、ＷｉＦｉモードＳＴＡのみが区間の間にＮＡＶを設定することができる。
【０１０９】
ＳＴＡ１３５０は、プロセッサ１３６０、メモリ１３７０及びＲＦ部（Radio Frequency unit）１３８０を含む。
【０１１０】
ＲＦ部１３８０は、プロセッサ１３６０と接続して無線信号を送信／受信することができる。
【０１１１】
プロセッサ１３６０は、本発明で提案された機能、処理及び／又は方法を具現することができる。例えば、プロセッサ１３２０は、前述した本発明の実施例に係るＳＴＡの動作を実行するように具現されることができる。プロセッサ１３６０は、図１乃至図１２の実施例でＮＡＮ端末（又は、ＮＡＮモードＳＴＡ）の動作を実行することができる。
【０１１２】
例えば、ＳＴＡがＮＡＮモードＳＴＡの場合、プロセッサ１３６０は、ＮＡＮビーコンフレームをＮＡＮマスタとして動作するＡＰ機能のＮＡＮ端末から受信することができる。また、プロセッサ１３６０は、ＣＴＳ−ｔｏ−ｓｅｌｆフレームに含まれるＮＡＶ設定対象指示ビット及び区間情報に基づいてＮＡＶ設定が可能か否かを決定することができる。
【０１１３】
例えば、ＳＴＡがＷｉＦｉモードＳＴＡの場合、プロセッサ１３６０は、ＣＴＳ−ｔｏ−ｓｅｌｆフレームに含まれるＮＡＶ設定対象指示ビット及び区間情報に基づいてＮＡＶ設定が可能か否かを決定することができる。
【０１１４】
プロセッサ１３１０、１３６０は、ＡＳＩＣ（Application-Specific Integrated Circuit）、他のチップセット、論理回路、データ処理装置及び／又はベースバンド信号及び無線信号を相互変換する変換器を含むことができる。メモリ１３２０、１３７０は、ＲＯＭ（Read-Only Memory）、ＲＡＭ（Random Access Memory）、フラッシュメモリ、メモリカード、記憶媒体及び／又は他の記憶装置を含むことができる。ＲＦ部１３３０、１３８０は、無線信号を送信及び／又は受信する一つ又は複数のアンテナを含むことができる。
【０１１５】
実施例がソフトウェアで具現されるとき、前述した技法は、前述した機能を遂行するモジュール（処理、機能など）で具現されることができる。モジュールは、メモリ１３２０、１３７０に記憶され、プロセッサ１３１０、１３６０により実行されることができる。メモリ１３２０、１３７０は、プロセッサ１３１０、１３６０の内部又は外部にあり、よく知られた多様な手段でプロセッサ１３１０、１３６０と接続されることができる。
【図１】
0006538152.tif 000005
【図２（Ａ）】
0006538152.tif 000006
【図２（Ｂ）】
0006538152.tif 000007
【図３】
0006538152.tif 000008
【図４】
0006538152.tif 000009
【図５】
0006538152.tif 000010
【図６】
0006538152.tif 000011
【図７】
0006538152.tif 000012
【図８】
0006538152.tif 000013
【図９】
0006538152.tif 000014
【図１０】
0006538152.tif 000015
【図１１】
0006538152.tif 000016
【図１２】
0006538152.tif 000017
【図１３】
0006538152.tif 000018